(57)【要約】【課題】カラオケ楽曲を歌唱することによって特別なメッセージを伝えようとする場面において、特定の歌唱行為が特別の意味を持っているかということを相手にわかってもらえるようにして、特別なメッセージを特別の相手にそれに相応しい歌の歌唱を通じて伝えることができるカラオケ装置を提供する。【解決手段】利用者が指定した楽曲の識別子と利用者が発信したメッセージとを対応づけして演奏予約の待ち行列に登録しておき、待ち行列に従って楽曲を演奏する際にその楽曲に対応づけて登録されているメッセージを表示出力するカラオケ装置としている。【選択図】　　　図２
2004061659.tif 000002
【特許請求の範囲】
【請求項１】
利用者が指定した楽曲の識別子と利用者が発信したメッセージとを対応づけして演奏予約の待ち行列に登録しておき、待ち行列に従って楽曲を演奏する際にその楽曲に対応づけて登録されているメッセージを表示出力することを特徴とするカラオケ装置。
【請求項２】
利用者が指定した楽曲の識別子と利用者が発信したメッセージと利用者が指定した表示時期区別情報とを対応づけして演奏予約の待ち行列に登録しておき、待ち行列に従って楽曲を演奏する際にその楽曲に対応付けて登録されているメッセージをその楽曲に対応付けて登録されている表示時期区別情報に該当する時期に表示出力することを特徴とするカラオケ装置。
【請求項３】
請求項１に記載のカラオケ装置の利用ツールとなるカラオケ選曲リモコン装置であって、利用者が選定した楽曲の識別子を一時記憶する第１レジスタと、文字列によるメッセージを入力する入力手段と、利用者が入力したメッセージのデータを一時記憶する第２レジスタと、第１レジスタに記憶された楽曲識別子と第２レジスタに記憶されたメッセージデータとを対応づけした演奏予約信号をカラオケ装置に向けて発信する手段とを備えたことを特徴とするカラオケ選曲リモコン装置。
【請求項４】
請求項２に記載のカラオケ装置の利用ツールとなるカラオケ選曲リモコン装置であって、利用者が選定した楽曲の識別子を一時記憶する第１レジスタと、文字列によるメッセージを入力する入力手段と、利用者が入力したメッセージのデータを一時記憶する第２レジスタと、利用者が指定した表示時期区別情報を一時記憶する第３レジスタと、第１レジスタに記憶された楽曲識別子と第２レジスタに記憶されたメッセージデータと第３レジスタに記憶された表示時期区別情報とを対応づけした演奏予約信号をカラオケ装置に向けて発信する手段とを備えたことを特徴とするカラオケ選曲リモコン装置。
【請求項５】
請求項３または４において、携帯電話機と通信し、携帯電話機で作成されたメッセージデータを入力する手段を備えたことを特徴とするカラオケ選曲リモコン装置。
【請求項６】
短距離無線通信手段を備えた携帯コンピュータに、利用者が選定した楽曲の識別子を第１レジスタに一時記憶する処理と、文字列によるメッセージを入力する処理と、利用者が入力したメッセージのデータを第２レジスタに一時記憶する処理と、第１レジスタに記憶された楽曲識別子と第２レジスタに記憶されたメッセージデータとを対応づけした演奏予約信号を短距離無線通信手段からカラオケ装置に向けて発信する処理を実行させる携帯コンピュータの応用プログラム。
【請求項７】
短距離無線通信手段を備えた携帯コンピュータに、利用者が選定した楽曲の識別子を第１レジスタに一時記憶する処理と、文字列によるメッセージを入力する処理と、利用者が入力したメッセージのデータを第２レジスタに一時記憶する処理と、利用者が指定した表示時期区別情報を第３レジスタに一時記憶する処理と、第１レジスタに記憶された楽曲識別子と第２レジスタに記憶されたメッセージデータと第３レジスタに記憶された表示時期区別情報とを対応づけした演奏予約信号を短距離無線通信手段からカラオケ装置に向けて発信する処理を実行させる携帯コンピュータの応用プログラム。
【発明の詳細な説明】
【０００１】
【発明の属する技術分野】
この発明は、利用者のリクエスト曲を演奏する際にメッセージを表示するカラオケ装置、およびカラオケ選曲リモコン装置に関する。また、携帯電話機などの携帯コンピュータをカラオケ選曲リモコン装置として機能させるための応用プログラムにも関する。
【０００２】
【発明の背景】
結婚披露宴などで来賓が祝辞に代わって歌を歌う場合が多い。これは、スピーチが苦手な人であっても、歌を通じてお祝いのメッセージを伝えることができるからである。このように歌には自分の気持ちを人に伝えるための媒介手段としての役割がある。しかし、結婚披露宴などの席とは異なり、愛の告白や日頃の感謝の気持ちなどを歌で伝えようとしても、適当な場所や場面がない。すなわち、公衆の面前や歌唱に相応しくない場所で歌唱するには大きな抵抗がある。メッセージの受け手にとっても困惑するだけである。また、伝えたい気持ちを直接表現した歌詞でない限り、歌唱によって伝えようとしている気持ちが、お祝いなのか、感謝なのか、それとも告白なのかを相手に分かってもらえない。
【０００３】
そこで本発明者らは、カラオケ店が歌唱を専門に行う場所であり、歌を歌うことに何ら抵抗感がない場所であることに着目した。そして、歌唱に込めたメッセージを最適なタイミングで送り手から受け手へ伝えることができれば、カラオケが歌唱を通じたメッセージの媒介手段として大きな役割を果たせると考えた。またカラオケの場では、歌唱者以外の人は手持ち無沙汰であり、自分の歌唱の順番が回ってくるまで時間をもてあましていることが多い。カラオケをメッセージの媒介手段とすることは、このような暇な歌唱者以外の人たちに話題を提供し、場を盛り上げることにも繋がる。
【０００４】
ここで、カラオケ楽曲を歌唱することによって特別なメッセージを伝えようとする場面を考える。まず、特定の人が特定の歌を歌唱しているときにメッセージを伝える必要がある。また、歌唱することが当たり前のカラオケの場で、特定の歌唱行為が特別の意味を持っているかということを相手にわかってもらえるようにすることも必要である。
【０００５】
特開２００２−１３２２７７号公報には、利用者が作成したメッセージを所定のカラオケ装置のディスプレイに表示するための通信カラオケシステムが開示されている。このシステムは、カラオケ装置に固有の宛先ＩＤを利用者に事前に告知しておき、カラオケ装置と通信するホスト装置がアクセスしてきた利用者のブラウザ端末から特定の宛先ＩＤを指定した電子メールを送付されてくると、この電子メールを宛先ＩＤに該当するカラオケ装置に転送し、そのカラオケ装置のディスプレイで電子メール本文（メッセージ）を表示するものである。しかし、このシステムでは、特定のカラオケ装置を電子掲示板代わりに利用する程度のことしかできない。特別な気持ちを込めたメッセージを特別な人に特別な歌を歌っているときに伝えるという用途には対応できない。
【０００６】
【発明の開示】
本発明は、例えば、親子でカラオケをするとき子供が親に対して日頃の感謝を相応のカラオケ楽曲を歌唱するときに伝えたり、デュエットの相手にプロポーズしたり、デュエット中の２人が他の同伴者に交際や結婚を宣言したりするなど、特別なメッセージを特別の相手にそれに相応しい歌の歌唱を通じて伝えるためのカラオケ装置を提供することを目的としている。また、このカラオケ装置用のカラオケ選曲リモコン装置と携帯コンピュータをこのリモコン装置として機能させるための応用プログラムを提供することも目的としている。
【０００７】
本発明のカラオケ装置は、利用者が指定した楽曲の識別子と利用者が発信したメッセージとを対応づけして演奏予約の待ち行列に登録しておき、待ち行列に従って楽曲を演奏する際にその楽曲に対応づけて登録されているメッセージを表示出力することとしている。
【０００８】
また、利用者が指定した楽曲の識別子と利用者が発信したメッセージと利用者が指定した表示時期区別情報とを対応づけして演奏予約の待ち行列に登録しておき、待ち行列に従って楽曲を演奏する際にその楽曲に対応付けて登録されているメッセージをその楽曲に対応付けて登録されている表示時期区別情報に該当する時期に表示出力するようにしてもよい。
【０００９】
上記カラオケ装置の利用ツールとなる本発明のカラオケ選曲リモコン装置は、利用者が選定した楽曲の識別子を一時記憶する第１レジスタと、文字列によるメッセージを入力する入力手段と、利用者が入力したメッセージのデータを一時記憶する第２レジスタと、第１レジスタに記憶された楽曲識別子と第２レジスタに記憶されたメッセージデータとを対応づけした演奏予約信号をカラオケ装置に向けて発信する手段とを備えている。
【００１０】
また、前記第１レジスタ・前記入力手段・前記第２レジスタに加え、利用者が指定した表示時期区別情報を一時記憶する第３レジスタと、第１レジスタに記憶された楽曲識別子と第２レジスタに記憶されたメッセージデータと第３レジスタに記憶された表示時期区別情報とを対応づけした演奏予約信号をカラオケ装置に向けて発信する手段とを備えたカラオケ選曲リモコン装置とすることもできる。上記カラオケ選曲リモコン装置に、携帯電話機と通信し、携帯電話機で作成されたメッセージデータを入力する手段を備えさせてもよい。
【００１１】
本発明の応用プログラムは、短距離無線通信手段を備えた携帯コンピュータを上記リモコン送信器として機能させるために、携帯コンピュータに利用者が選定した楽曲の識別子を第１レジスタに一時記憶する処理と、文字列によるメッセージを入力する処理と、利用者が入力したメッセージのデータを第２レジスタに一時記憶する処理と、第１レジスタに記憶された楽曲識別子と第２レジスタに記憶されたメッセージデータとを対応づけした演奏予約信号を短距離無線通信手段からカラオケ装置に向けて発信する処理を実行させることとしている。
【００１２】
また、前記第１レジスタに一時記憶する処理と、前記メッセージを入力する処理と、前記第２レジスタに一時記憶する処理と、利用者が指定した表示時期区別情報を第３レジスタに一時記憶する処理と、第１レジスタに記憶された楽曲識別子と第２レジスタに記憶されたメッセージデータと第３レジスタに記憶された表示時期区別情報とを対応づけした演奏予約信号を短距離無線通信手段からカラオケ装置に向けて発信する処理を実行させる携帯コンピュータの応用プログラムとしてもよい。
【００１３】
【発明の実施の形態】
＝＝＝カラオケ装置の基本的な構成と動作＝＝＝
本発明の実施例におけるカラオケ装置は、周知の通信カラオケシステムの演奏端末と同様のハードウエア構成を採用している。このカラオケ装置は図１に示すように、コンピュータ本体となる中央制御部２が各周辺構成部を制御・統括している。ハードディスク装置３はＭＩＤＩデータを主体とした伴奏音楽データと、歌詞画像の生成起源となる歌詞描出データとを含むカラオケデータを多数曲分蓄積している。また、ハードディスク装置３には所定形式の長時間分の動画データと、動画データの処理理シーケンス（処理すべき動画データの格納場所と処理順番など）を規定した台本データをも格納されている。
【００１４】
中央制御部２は、各楽曲のカラオケデータと台本データとを楽曲番号によって識別・管理しており、カラオケ装置１本体の操作パネル６やカラオケ選曲リモコン装置（リモコン装置）５から楽曲番号を含んだ演奏予約コマンドを操作制御部７を介して受け付けると、その番号を内部のＲＡＭに格納して演奏処理の待ち行列で管理する。そして、待ち行列から楽曲番号を順次取り出し、該当のカラオケデータをハードディスク装置３より読み出し、このカラオケデータ中の伴奏音楽データをシンセサイザ８に転送して伴奏音楽を生成させる。また、歌詞データに基づいて伴奏音楽に同期して歌唱すべき箇所が色変わりする歌詞画像をビデオＲＡＭ１２に順次ビットマップ展開していく。また、台本データに基づいて所定の動画データを所定の順番で映像制御部１３に転送して歌詞画像の背景動画を復号させる。
【００１５】
ミキシングアンプ９は伴奏音楽とマイクロホン１１に入力された歌唱音声とを混合・増幅してスピーカ１０より音響出力する。映像制御部１３は、復号した動画映像に歌詞画像をスーパーインポーズ処理してディスプレイ１４に表示出力する。
【００１６】
＝＝＝楽曲連係メッセージ表示機能＝＝＝
本実施例のカラオケ装置１は、上述した基本機能に加え、ある楽曲が演奏予約されるときに楽曲番号とともにメッセージの文字列を受け付けた場合、この楽曲演奏時にメッセージの文字列をディスプレイ１４に表示出力する楽曲連係メッセージ表示機能を備えている。中央制御部２は、楽曲番号とともにメッセージのテキストデータが含まれている演奏予約コマンドを受け付けると、このテキストデータを楽曲番号とともに待ち行列に登録する。そして、待ち行列から取り出した楽曲番号にテキストデータが対応付けされていると、該当のカラオケ楽曲を演奏出力する際、例えば前奏時など、適宜なタイミング時点でこのテキストデータに相当する文字画像をビデオＲＡＭ１２にビットマップ展開し、表示制御部１３によりメッセージ文字列をディスプレイ１４に表示させる。図２に楽曲連係メッセージを表示出力する処理の流れ図を示した。
【００１７】
なお、メッセージと歌詞画像とを同じディスプレイ１４に表示せず、メッセージ専用のディスプレイに表示するようにしてもよい。この場合、ビデオＲＡＭ１２のメモリ領域を歌詞画像用のディスプレイ１４の画面に相当する領域と、メッセージ用のディスプレイ画面に相当する領域とに区分し、映像制御部１３は、これら２つの領域から読み出した画像をそれぞれ別の映像信号として出力し、歌詞画像用とメッセージ用の２系統のディスプレイをそれぞれの映像信号出力に接続すればよい。あるいは、カラオケ装置１本体に行表示用のディスプレイなどを配設しておき、このディスプレイにメッセージを表示するようにしてもよい。
【００１８】
＝＝＝カラオケ選曲リモコン装置＝＝＝
カラオケ装置１の楽曲連係メッセージ表示機能を利用するために、楽曲番号とともに楽曲連係メッセージを演奏コマンドとしてカラオケ装置に与えるためのユーザインタフェースが必要となる。本実施例ではリモコン装置５がそのユーザインタフェース機能を備えている。
【００１９】
図３（Ａ）（Ｂ）のそれぞれに本実施例のリモコン装置の外観図と機能ブロック図とを示した。このリモコン装置５は、タッチパネル３０を主体としたユーザインタフェースとＧＵＩによる楽曲索引機能とを備えた電子目次本である。電子目次本５の構成はパーソナルコンピュータなどの汎用コンピュータと基本的には同じであり、ＣＰＵ・ＲＡＭ・ＲＯＭ・ビデオＲＡＭなどを内蔵してコンピュータ本体として機能するリモコン制御部２１によって統括制御されている。外部記憶として機能するフラッシュメモリ２２には楽曲番号毎に曲名、アーティスト名、歌詞の歌い出し部分などの属性情報を対応付けした索引情報が格納され、リモコン制御部２１は、この情報を楽曲索引データベースとして管理している。リモコン制御部２１は、ＲＳ２３２Ｃ規格の通信ＩＦ（インタフェース）２３を介してカラオケ装置１などの外部コンピュータと通信し、新規のカラオケ楽曲についての索引情報を取り込んでフラッシュメモリ２２に格納し、楽曲索引データベースを適時に更新する。
リモコン制御部２１は、利用者にＧＵＩ環境を提供するために、タッチセンサ２７からの操作入力情報を操作制御部２６を介して受け取ると、内部のＲＯＭに用意されている画像データや、操作入力情報に応じた処理結果を反映させた画像データをビデオＲＡＭにビットマップ展開するとともに、ＬＣＤドライバ２４を制御してこのビットマップ画像をＬＣＤ２５に表示出力させる。
【００２０】
図４にＧＵＩの概略を画面遷移図によって示した。この例では、利用者が５０音索引形式で曲名をその頭文字から入力して検索対象を絞っていき、最終的に特定されたリクエスト曲の楽曲番号とこの曲に連係させて表示するメッセージとを演奏予約コマンドとしてカラオケ装置１に与えるまでの過程を示している。
【００２１】
リモコン制御部２１は、利用者とのＧＵＩを通じたやりとりに基づいて楽曲索引データベースを検索していき（Ａ、Ｂ）、最終的にリクエスト曲が特定された時点で、この楽曲の楽曲番号をＲＡＭの所定領域に格納するとともに、この曲についての詳細な索引情報を含む画面を表示する（Ｃ）。この画面にはメッセージ連係ボタン３１があり、このボタン３１をタッチすると、メッセージ文字列を入力するために５０音パレットを含んだ画面を表示する（Ｄ）。もちろん、メッセージは利用者が任意に入力する文字列に限らず、複数の定型文をあらかじめフラッシュメモリ２２などに用意しておき、その複数の定型文から利用者が選択するようにしてもよい。選択した定型文の一部を変更できるようにしてもよい。
【００２２】
利用者がこのメッセージ入力画面（Ｄ）中の５０音パレットをタッチしながらメッセージ文字列を入力し、確定ボタン３４をタッチすると、リモコン制御部２１はこの文字列のテキストデータをＲＡＭの所定領域に格納する。そして、先に特定されたリクエスト曲とメッセージ文字列とを利用者に確認させるための画面を表示する（Ｅ）。この画面で転送ボタン３５がタッチされると、該当の楽曲番号とメッセージ文字列のテキストデータとを含んだ演奏予約コマンドのコードを発生し、このコードをコードをＬＥＤドライバ２８に転送する。ＬＥＤドライバ２８は、このコードの変調信号をＬＥＤ２９に与えて、カラオケ装置１に演奏予約のための無線信号を送信させる。そして、リクエスト曲をメッセージとともに演奏表示予約した旨の通知画面を表示する（Ｆ）。
【００２３】
なおリモコン制御部２１は、リクエスト曲の詳細索引情報の画面（Ｃ）の転送ボタン３２がタッチされると、楽曲番号のみを含んだ通常の奏予約コマンドを発信した後、メッセージ表示欄３７が空欄の通知画面（Ｆ）を表示する。また、詳細索引情報画面（Ｃ）や確認画面（Ｅ）の割込転送ボタン３３，３６は待ち行列の最前列に楽曲番号を登録させて演奏中にるカラオケ楽曲の直後にこのときリクエストした楽曲を演奏させるためのボタンである。
【００２４】
＝＝＝メッセージの表示時期制御＝＝
メッセージの表示時期を利用者が設定できるようにする。リモコン装置が楽曲連係メッセージとともにそのメッセージの表示時期を指定するためのユーザ入力を受け付け、楽曲番号とメッセージのテキストデータと表示時期の指示情報とを含んだ演奏コマンドをカラオケ装置に送信する。表示時期としては、例えば、時系列順に演奏前・前奏時・１コーラス演奏時・間奏時・２コーラス演奏時・間奏時・…・後奏時・演奏終了時点など、あらかじめ複数の時期を設定しておき、この複数の設定時期の中から利用者に選択させるようにすればよい。
【００２５】
一方カラオケ装置は、楽曲連係メッセージとともに表示時期指示情報を該当の楽曲番号に対応付けして待ち行列に登録し、待ち行列から取り出した楽曲番号に楽曲連係メッセージと表示時期指示情報が対応付けされている場合、該当するカラオケ楽曲の演奏処理に並行して指示された時期に楽曲連係メッセージを表示出力する。
【００２６】
複数の時期を指定して１曲の演奏機会にメッセージを複数回表示するようにすることもできる。また、複数回の表示時期にそれぞれ異なるメッセージを対応付けできるようにしておけば、各表示時期で異なるメッセージを表示することができる。
【００２７】
表示時期を利用者に選択させる構成に限らず、表示時期を任意に指定できるようにしてもよい。例えば、電子目次本の楽曲索引データベースに各楽曲の演奏時間を含ませておき、利用者がメッセージの表示時期をリクエスト曲の演奏時間以内の演奏経過時間で指定できるようにすればよい。
【００２８】
あるいは、電子目次本の楽曲索引データベースに歌詞描出データにおける歌詞文字列とその表示順番とを含ませておくとともに、リクエスト曲の歌詞をその表示順番に従って提示するようにしておく。利用者が特定の歌詞文字列を指定すると、その文字列が表示される演奏経過時間を表示時期指示情報として取得し、これをカラオケ装置に与えるようにする。それによって、カラオケ装置にて特定の歌詞が表示されたときにメッセージが表示される。カラオケ装置が歌詞とメッセージを同じディスプレイに表示する構成になっているのであれば、歌詞の表示位置も合わせて電子目次本で確認できるようにしておき、メッセージの表示位置を利用者が設定し、その位置データもカラオケ装置に与え、カラオケ装置がこの位置情報を楽曲番号とともに待ち行列に登録するようにすればよい。
【００２９】
＝＝＝携帯電話機を使ったメッセージ入力＝＝＝
ブラウザと電子メール送受信機能を備えた携帯電話機が広く普及し、携帯電話機のボタンを巧みに操作して長文を素早く入力できる人も多い。このような人たちにとってはリモコン装置上でメッセージの文字列を入力するより、使い慣れた自分の携帯電話機を使って文字入力できた方が便利である。また、事前に作成したメッセージを携帯電話機に記憶させておけば、カラオケの場であわててメッセージを入力しなくて済む。
【００３０】
リモコン装置が携帯電話機にて作成されたメッセージを受け付けるためには、まず、リモコン装置と携帯電話機とが所定の通信インタフェースを介して通信できるように構成しておく。通信インタフェースとしてはＲＳ２３２ＣやＵＳＢなどのインタフェースが考えられる。そして、これらのインタフェース規格に適合したケーブルの一端に携帯電話機に標準搭載されているデータ端子用のコネクタを備えさせればよい。なおリモコン装置には、携帯電話機にて作成されて保存されている楽曲連係メッセージのテキストデータや、携帯電話機において現に入力されている文字のコードを取得したりするためのソフトウエアを実装しておく。
【００３１】
ＩｒＤＡやブルートゥースなどの短距離無線通信インタフェースが実装された携帯電話機に対応させ、それらの無線通信インタフェースをリモコン装置側にも搭載しておけば、これら無線通信インタフェースを介して携帯電話機からリモコン装置へ文字データを転送することができる。
【００３２】
＝＝＝携帯電話機によるカラオケ選曲機能＝＝＝
無線通信インタフェースを備えた携帯電話機自体をリモコン装置として機能させることもできる。この場合はカラオケ装置側に無線通信インタフェースを搭載しておく。具体的な実施形態としては、携帯電話機に簡易的な電子目次本機能を実装しておけばよい。例えば、Ｊａｖａ実行環境を実装したブラウザ機能付き携帯電話機を用い、この携帯電話機にカラオケ装置の楽曲連係メッセージ表示機能を利用するためのＪＡＶＡプログラム（カラオケ連係ソフト）をインストールしておく。なおカラオケ事業者側で、カラオケ連係ソフトをインターネット上の所定のＷｅｂサイトに用意しておけば、携帯電話機は自身のブラウザ機能によりこれをダウンロードしてインストールすることができる。
【００３３】
利用者は、カラオケ装置の楽曲連係メッセージ表示機能を使用する際、携帯電話機が標準で備える文書作成機能により事前にメッセージを作成してこれを電話機内のメモリに記憶くさせておく。またカラオケ連係ソフトにより、利用者が歌唱を予定している楽曲についての楽曲番号と曲名とを携帯電話機に記憶させておく。この楽曲番号と曲名もカラオケ連係ソフトと同様にダウンロード可能に所定のＷｅｂサイトに用意しておけばよい。
【００３４】
つぎに利用者は、カラオケ会場に携帯電話機を持参し、カラオケ連係ソフトを起動させておく。携帯電話機とカラオケ装置とが所定の距離内に近づくと双方の通信リンクが確立し、カラオケ装置は携帯電話機からの演奏予約コマンドを受け付ける準備を整える。利用者は、携帯電話機を操作し先に記憶しておいた曲名一覧を電話機のディスプレイに呼び出し、この一覧中からリクエスト曲を指示する操作を行う。カラオケ連係ソフトは、この指示操作に応動して特定楽曲の楽曲番号を所定の記憶領域に一時記憶するとともに、先に作成して記憶したメッセージをディスプレイに呼び出す。この状態で所定の操作を受け付けると、表示中のメッセージと先に一時記憶した楽曲番号とを含んだ演奏予約コマンドを無線インタフェースを介してカラオケ装置に転送する。
【００３５】
なお、カラオケ連係ソフトは携帯電話機に限らず、ＰＤＡなど他の携帯コンピュータにインストール可能に用意されていてもよい。それによって、あらゆる形態の携帯コンピュータでカラオケ装置の楽曲連係メッセージ表示機能を利用することができる。
【００３６】
＝＝＝電子メールに連動する楽曲連係メッセージ表示機能＝＝＝
携帯電話機に短距離無線通信インタフェースが搭載されていなくても、携帯電話機の電子メール送受信機能を使ってカラオケ装置に楽曲番号とメッセージを与えることができる。この場合、カラオケ装置に所定のメールアドレスを割り当てておき、カラオケ装置はそのアドレスに相当するメールボックスに電子メールが送達されるのを監視する。そして、例えば、楽曲番号を件名として本文にメッセージを記載した電子メールをカラオケ装置に宛てて送信する。カラオケ装置は受信した電子メールに記載されている楽曲番号とメッセージとを待ち行列に登録する。
【００３７】
【発明の効果】
本発明のカラオケ装置によれば、利用者がリクエストした楽曲の演奏時に利用者が作成したメッセージを表示出力することができる。そのため利用者は、歌にこめた特別なメッセージを特別な人に自然に伝えることができる。また、カラオケの場に新たな娯楽要素を与え、カラオケ業界の活性化にも繋がる。
【図面の簡単な説明】
【図１】本発明の実施例におけるカラオケ装置の機能ブロック図である。
【図２】上記カラオケ装置における楽曲連係メッセージ表示処理の流れ図である。
【図３】上記カラオケ装置用のカラオケ選曲リモコン装置の外観図（Ａ）と機能ブロック図（Ｂ）である。
【図４】上記リモコン装置におけるＧＵＩを画面遷移図によって示している。
【符号の説明】
１　カラオケ装置
２　中央制御部
３　ハードディスク装置
５　カラオケ選曲リモコン装置
１２　ビデオＲＡＭ
１３　表示制御部
１４　ディスプレイ
２１　リモコン制御部
２２　フラッシュメモリ
２５　液晶ディスプレイパネル
２７　タッチセンサ
【図１】
2004061659.tif 000003
【図２】
2004061659.tif 000004
【図３】
2004061659.tif 000005
【図４】
2004061659.tif 000006